(57)【要約】【課題】かみそりヘッドが浮動可能に支持してある電気かみそりにおいて、かみそりヘッドを肌の面変化に滑らかに追随できるようにする。【解決手段】モーター１９、およびひげそりブロック９１を含んでかみそりヘッド２Ｂを構成する。かみそりヘッド２Ｂを、本体ケース１に設けた左右一対のばね８０で浮動支持する。かみそりヘッド２Ｂと本体ケース１との間に、抜け止め構造を設ける。抜け止め構造は、ヘッド側係合体５６とケース側係合体６６とからなり、かみそりヘッド２Ｂの下降スライドを許し、さらに左右傾動を許すように構成する。【選択図】図１
2006051389.tif 000002
【特許請求の範囲】
【請求項１】
モーター１９、およびモーター動力で駆動される内刃２０等を含むかみそりヘッド２Ｂと、かみそりヘッド２Ｂを支持する本体ケース１を備えており、
かみそりヘッド２Ｂは、本体ケース１に収容した左右一対のばね８０で押し上げ付勢されて支持されており、
かみそりヘッド２Ｂと本体ケース１との間に、かみそりヘッド２Ｂを前記ばね８０の付勢力に抗して抜け止め保持する抜け止め構造が設けられており、
抜け止め構造が、かみそりヘッド２Ｂの下降スライドを許し、かつ、かみそりヘッド２Ｂの左右傾動を許す状態で互いに接当係合する、ヘッド側係合体５６と、ケース側係合体６６とで構成してあることを特徴とする電気かみそり。
【発明の詳細な説明】
【技術分野】
【０００１】
この発明は、かみそりヘッドが本体ケースに対して浮動支持してある電気かみそりに関する。
【背景技術】
【０００２】
この種の電気かみそりは、本出願人の出願に係る特開２０００−１４９４３公報に公知である。そこでは、モーター台の上下にかみそりヘッドとモーターを組み付けてかみそりユニットを構成し、モーター台とケース本体との間に設けた左右一対のばねで、かみそりユニットを浮動可能に支持している。この電気かみそりは、上下へは自在に浮動できるが、左右、あるいは前後へは浮動できない。特開平８−１８２８７２号公報には、上下および左右方向へ浮動できる電気かみそりが開示されている。そこでは、モーターケースにモーターとかみそりヘッドを組み付けてこれら三者を１個のかみそりユニットとして構成し、かみそりユニットを本体ケースで浮動可能に支持している。詳しくは、三角形状に配置した３個の支持脚を本体ケースで上下スライド自在に支持し、支持脚の間に配置したばねでモーターケースを押し上げ付勢している。支持脚とモーターケースとは球面座を介して連結されており、３個の球面座でかみそりヘッドの前後、左右、あるいは斜めへの傾動を吸収できるようになっている。
【特許文献１】特開２０００−１４９４３号公報
【特許文献２】特開平８−１８２８７２号公報
【発明の開示】
【発明が解決しようとする課題】
【０００３】
上記の電気かみそりでは、支持脚とばねとでモーターケースを浮動支持し、支持脚上部の球面座で傾動動作を吸収するので、モーターケースがむしろ安定し過ぎた状態で支持される。そのため、ひげ切断面を肌面に沿って移動するとき、肌面の変化に追随してひげ切断面が傾動する際の応答動作が遅く、かみそりユニットの傾動を必ずしも滑らかに行うことができない。支持脚のスライド摩擦と球面座の摺動摩擦も、ひげ切断面が傾動する際の応答速度を低下させる。
【０００４】
この発明の目的は、かみそりヘッドを肌の面変化に追随して滑らかに傾動させることができ、従って、かみそりヘッドのひげ切断面を肌に対して常に密着する状態で追随させて効果的にひげ切断ができる電気かみそりを提供することにある。
【課題を解決するための手段】
【０００５】
この発明では、かみそりヘッド２Ｂをむしろ不安定な状態で浮動支持して、かみそりヘッド２Ｂを肌の面変化に追随して滑らかに傾動できるようにする。具体的には、本発明の電気かみそりは、モーター１９、およびモーター動力で駆動される内刃２０等を含むかみそりヘッド２Ｂと、かみそりヘッド２Ｂを支持する本体ケース１を備えている。かみそりヘッド２Ｂは、本体ケース１に収容した左右一対のばね８０を含む弾性材で押し上げ付勢されて浮動支持されている。かみそりヘッド２Ｂと本体ケース１との間に、かみそりヘッド２Ｂを前記弾性材の付勢力に抗して抜け止め保持する抜け止め構造を設ける。抜け止め構造は、かみそりヘッド２Ｂの下降スライドを許し、かつ、かみそりヘッド２Ｂの左右傾動を許す状態で互いに接当係合する、ヘッド側係合体５６と、ケース側係合体６６とで構成する。
【発明の効果】
【０００６】
この発明では、左右一対のばね８０を主にして、これらでかみそりヘッド２Ｂを押し上げ付勢し浮動支持したうえで、かみそりヘッド２Ｂと本体ケース１との間に設けた抜け止め構造で、かみそりヘッド２Ｂを前記弾性材の付勢力に抗して抜け止め保持するので、３個の支持脚とばね、および球面座でかみそりユニットを浮動支持する従来の電気かみそりに比べて、浮動支持構造を簡素化できるうえ、組み立ての手間を省くことができ、その分だけ電気かみそりの製造コストを削減できる。かみそりヘッド２Ｂを左右一対のばね８０で押し上げ付勢し、かみそりヘッド２Ｂをむしろ不安定な状態で浮動支持するので、かみそりヘッド２Ｂを肌の面変化に追随して滑らかに傾動できるうえ、無視できる程度にまで摩擦抵抗を軽減でき、従って、かみそりヘッドのひげ切断面を肌に対して常に密着する状
態で追随させて効果的にひげ切断を行える。ヘッド側係合体５６とケース側係合体６６とは互いに接当係合して、かみそりヘッド２Ｂをばね８０の付勢力に抗して抜け止め保持できる。また、かみそりヘッド２Ｂの下降スライドを許し、かつ、かみそりヘッド２Ｂの左右傾動を許す状態で、ヘッド側係合体５６とケース側係合体６６とを接当係合するので、かみそりヘッド２Ｂは任意の浮動位置において左右傾動して、そのひげ切断面を肌に常に密着する状態で追随させることができる。
【発明を実施するための最良の形態】
【０００７】
（実施例）
図１ないし図１６はこの発明に係る水洗い式の電気かみそりの実施例を示す。図２ないし図４において、電気かみそりは、上面および下面が開口する筒状の本体ケース１と、本体ケース１に対して差し込み装填される作動ユニット２と、下面側のケース開口を塞ぐ底蓋３と、本体ケース１の前外面に装着される前カバー４および表示パネル５と、ケース後面の上下に配置されるきわぞり刃ユニット６および切換ノブ７などを備えている。表示パネル５の上下には、モーター起動用のスイッチボタン８や、運転モードを切り換えるモード切換ボタン９、および両ボタン８・９の切り換え状態を表示する表示灯１０などが設けてある。符号１１はかみそりヘッド２Ｂの押し下げ反力を大小に切り換えるスライドノブであり、その詳細は後述する。
【０００８】
図３において、作動ユニット２は、下半側の電装品ユニット２Ａと、その上部に設けられるかみそりヘッド２Ｂとからなり、これら両者２Ａ・２Ｂの間は防水シール（ゴム製弾性材）１５で封止してある。この防水シール１５は、後述するようにかみそりヘッド２Ｂを補助的に押し上げ付勢する弾性材として機能する。電装品ユニット２Ａは、プラスチック成形品からなる内フレーム１６に、２次電池１７と、スイッチやＬＥＤ、および電子部品等が実装された回路基板１８などを組み付けて構成してある。かみそりヘッド２Ｂには、モーター１９と、前後一対の回転式の内刃２０、外刃２１、およびセンター刃３８などが組まれたひげそりブロック９１と、モーター動力を内刃２０や先のきわぞり刃ユニット６へ伝える伝動機構などが設けられる。
【０００９】
作動ユニット２を本体ケース１内に装填し、電装品ユニット２Ａと本体ケース１に内嵌した底蓋３とをビスで締結し、先の防水シール１５を本体ケース１のシール壁５４の内面に密接させ、さらに底蓋３側の締結部をＯリングやパッキンでシールすることにより、電装品ユニット２Ａ側への水の浸入を阻止し、かみそりヘッド２Ｂの水洗いを可能としている。モーター１９の出力軸１９ａの部分には水密用のパッキン１２が設けてある（図５参照）。
【００１０】
図４において、かみそりヘッド２Ｂは、モーター１９が固定されるモーター台２２と、モーター台２２に順に組まれるヘッドフレーム２３、内刃支持台２４、内刃フレーム２５、および外刃ホルダー２６と、これらの外殻体に組まれる多数の部品などで構成する。先の内刃２０は内刃フレーム２５に、外刃２１とセンター刃３８とは外刃ホルダー２６にそれぞれ組み付けてある。かみそりヘッド２Ｂの下部には第１伝動室２７が、さらにその一側部には第２伝動室２８がそれぞれ区画してある。モーター１９の動力は、第１伝動室２７に収容したギヤ群を介して最初は横向きに、次いで第２伝動室２８に収容した巻掛伝動機構で上向きに伝動され、終段ギヤ２９と内刃ギヤ３０を介して前後一対の内刃２０へと伝えられる。
【００１１】
図５および図６においてギヤ群は、モーター動力を減速して伝動する４個の平歯車Ｇ１〜Ｇ４と、隔壁３１を左右に貫通する中間軸３２と終段ギヤＧ４との間に設けた一対の傘歯車３３・３４とで構成する。ギヤ群から生じるギヤ騒音が、第１伝動室２７から第２伝動室２８へ素通しで伝播するのを防ぐために、両伝動室２７・２８の間を隔壁３１で密閉状に区分している。図５に示すようにモーター１９の出力軸１９ａに固定される初段の平歯車Ｇ１の上部に２個の偏心カム３５・３６を設け、これらの偏心カム３５・３６できわぞり刃用の振動子３７と、センター刃３８用の振動子３９とを同時に往復駆動できるようにしている。
【００１２】
図７に示すように、巻掛伝動機構は、中間軸３２に固定した原動プーリー４２と、終段ギヤ軸４３に固定した従動プーリー４４と、両プーリー４２・４４に巻き掛けたタイミングベルト４５と、タイミングベルト４５の弛み側移行軌跡の外側に配置したテンション体４６とで構成する。テンション体４６は軸４７まわりに前後揺動でき、ばね４８で反時計回転方向へ揺動付勢されて、先端のローラー４９がタイミングベルト４５に外接して張力調整を行う。
【００１３】
モーター台２２は、前後壁と左右壁とで囲まれた上面が開口する枠体からなり、図８および図９に示すようにその下面にモーター１９と、モーターホルダー５１が固定してある。モーター台２２とモーターホルダー５１とで、先の防水シール１５の内側周縁１５ａを上下に挟持固定している。防水シール１５の外側周縁１５ｂは、内フレーム１６の上部の内シール壁５２の外周面に設けた装着溝５３（図１０参照）に嵌込み装着してある。この嵌込み部分の外周面が本体ケース１の上部内面のシール壁５４の内面に密接して、本体ケース１と内フレーム１６との間を封止している。モーター台２２の両側下部には、前後一対の脚片５５が突設され、その突端外側面に丸軸からなる突起（ヘッド側係合体）５６が形成してある。脚片５５の機能は後述する。
【００１４】
モーターホルダー５１は、上向きに開口する筒枠状のケースであって、左右側面の上部に前後一対の抜け止め用の保持脚片５７を突設し、両保持脚片５７の間にばね座５８を突設する。内フレーム１６の上部にはモーターホルダー５１を収容する内シール壁５２を周回状に設け、その左右の内底壁に先の保持脚片５７およびばね座５８に対応する前後一対の受爪５９とばね座６０を設けている。上下のばね座５８・６０の間に圧縮コイル形のばね（弾性材）８０を配置した状態で、モーターホルダー５１を内フレーム１６に組み付けることにより、保持脚片５７の下端の爪が受爪５９と係合して、かみそりヘッド２Ｂが電装品ユニット２Ａに対して、ばね８０の弾性に抗して抜け止め保持される。作動ユニット２を本体ケース１に組み込んだ状態において、図５に示すようにばね８０は防水シール１５の覆域内に位置するので、ばね８０のきしみ音がケース外へ漏れるのを確実に防止できる。
【００１５】
かみそりヘッド２Ｂの浮動動作を一部規制するために、かみそりヘッド２Ｂと本体ケース１との間に切換機構を設けている。図１２において切換機構は、本体ケース１と前カバー１２との間に配置した枠体６２と、前カバー１２の前面上部に配置したスライドノブ１１と、スライドノブ１１の左右スライド動作を上下動作に変換するカム構造と、枠体６２の動作を受け継ぐためにモーター台２２に設けた左右一対の脚片５５などで構成する。
【００１６】
図１３において、枠体６２は左右一対の腕部６３と、両腕部６３どうしを傾斜壁６４を介して繋ぐ枠基部６５とを一体に備えたステンレス製のプレス金具からなる。各腕部６３には、先の脚片５５の突起５６と係合する縦長長円状の溝（ケース側係合体）６６が通設してある。枠基部６５の中央上縁には階段状のカム部６７を形成し、その下縁に下向きの切欠６８を形成する。
【００１７】
図１２および図１４に示すように、枠体６２は、腕部６３の溝６６が脚片５５の突起５６と係合する状態で、本体ケース１のシール壁５４の外面開口縁に沿って配置されて、本体ケース１と前カバー４との二重壁で上下動のみ自在に摺動案内されている。詳しくは、本体ケース１のシール壁５４と前カバー４の上壁部の左右に設けたガイド部７０とで枠基部６５を前後に挟んで、枠基部６５がシール壁５４の外面に沿って上下摺動できるようにし、さらに、シール壁５４の外面に突設した左右一対のリブ７１（図１３参照）で、切欠６８の垂直の縦側縁を案内して、枠体６２が左右に傾動するのを規制している。上下摺動時には、傾斜壁６４がシール壁５４の両側に位置する部分円弧状のコーナー部７２で受け止められており、このことも枠体６２が左右に傾動するのを規制することに役立っている。このように、本体ケース１の一部を二重壁で構成し、脚片５５の突起５６と腕部６３の溝６６を二重壁の間に収容すると、例えば電気かみそりが床面に落下するような場合に、衝撃を受けた突起５６が溝６６から抜け出るのを、内外の壁で確実に防止できる。
【００１８】
本体ケース１とかみそりヘッド２Ｂとの間に、かみそりヘッド２Ｂの上下位置を切り換えて、前記ばね８０によるかみそりヘッド２Ｂの押し下げ反力を複数段に変更する切換機構が設けられており、切換機構は本体ケース１の外面に設けたスライドノブ１１と、スライドノブ１１で上下操作される枠体６２と、かみそりヘッド２Ｂを構成するモーター台２２の下部に突設されて、枠体６２の下降動作を受け継ぐ一対の脚片５５を含み、脚片５５と枠体６２とは、かみそりヘッド２Ｂの上下動を許す溝６６と同溝６６に係合する突起５６を介して連結されており、突起５６がヘッド側係合体を兼ね、溝６６がケース側係合体を兼ねている。
【００１９】
本体ケース１とかみそりヘッド２Ｂとの間に、かみそりヘッド２Ｂの押し下げ反力を複数段に変更する切換機構を設け、切換機構を構成する脚片５５に設けた突起５６でヘッド側係合体を兼ね、枠体６２に設けた溝６６でケース側係合体を兼ねると、構造を簡素化できその分だけ電気かみそりの製造コストを削減できる。
【００２０】
具体的には、スライドノブ１１は、前カバー４に設けたスライド溝７３に沿って左右スライド自在に支持されている。カム構造は、スライドノブ１１の内面に配置されて、回転自在に軸支してある筒状のローラー７４と、先の枠基部６５に設けたカム部６７とからなる。ローラー７４はスライドノブ１１の内面に設けた爪７５で回転自在に係合保持されており、その周面の段部がスライド溝７３の開口内縁と接当して、スライドノブ１１を脱落不能に保持している。前カバー４にスライドノブ１１を組み付けた状態において、ローラー７４の周面はカム部６７と交差し、さらにシール壁５４の上縁に設けたガイド凹部７６で受け止められている。つまり、スライドノブ１１は、前カバー４の前面と、スライド溝７３と、ガイド凹部７６の三者で直接、あるいはローラー７４を介して間接的に案内支持されている。
【００２１】
図１２に示すように常態においては、ローラー７４はカム部６７の下側の段部に嵌り込んでおり、このとき突起５６は溝６６の上端に位置している。この状態から、スライドノブ１１を図１５に示すように、図に向かって右側へスライド操作すると、枠体６２がばね８０の付勢力に逆らって押し下げ操作され、上側の段部がローラー７４で受け止められて上昇不能に保持される。つまり、かみそりヘッド２Ｂは、全浮動が可能な浮動位置（図２に示す状態）から、浮動動作が規制された規制位置（図１５に示す状態）へと切り換えられる。因みに、この実施例におけるかみそりヘッド２Ｂは、浮動位置において約４mm下降移動できるが、規制位置においては、下降ストロークが1.５mmに規制される。かみそりヘッド２Ｂを全浮動ストローク分だけ押し込んだ状態においてはばね８０が全圧縮されるので、それ以上かみそりヘッド２Ｂを下降操作できない。このとき、突起５６は溝６６の下端と僅かな隙間を介して対向している。
【００２２】
上記のように、かみそりヘッド２Ｂは本体ケース１に対して上下浮動でき、上下動作するとき、枠体６２の腕部６３は脚片５５の外面を摺動案内して、かみそりヘッド２Ｂの左右遊動を規制する。また、溝６６は突起５６の前後遊動を規制して、突起５６の上下スライド軌跡を常に一定にする。突起５６を丸軸で形成し、溝６６を長円溝で形成したうえで、モーター台２２と本体ケース１との前後間に浮動隙間Ｅ１を確保することにより、かみそりヘッド２Ｂは浮動位置と規制位置、あるいは任意の上下位置において図１６に示すように前後に傾動できる。さらに、脚片５５とシール壁５４との間に浮動隙間Ｅ２を確保することにより、かみそりヘッド２Ｂは、図１に示すように任意の上下位置において左右傾動できる。
【００２３】
左右の脚片５５は本体ケース１の左右両側に配置されていて、脚片５５の左右間隔はばね８０の左右間隔よりはるかに大きい。そのため、図１に示すように、かみそりヘッド２Ｂの例えば左端が押されて、右側の突起５５を支点にして本体ケース１側へ斜めに沈み込むとき、左側のばね８０はもちろん、右側のばね８０も圧縮変形される。従って、外力が開放されるのと同時に、両ばね８０でかみそりヘッド２Ｂの姿勢を即座に復帰操作できる。つまり、かみそりヘッド２Ｂが浮動位置へ復帰するときの応答速度を向上できる。
【００２４】
図４においてヘッドフレーム２３は、下向きに開口するケース部８２と、ケース部８２の左右両端に立設した側壁８３とを有し、ケース部８２をモーター台２２に蓋合わせ状に接合固定することにより、両者２２・２３の接合面間に第１伝動室２７を区画している。この接合状態において側壁８３と隔壁３１とは面一状になっており、これら両者３１・８３と、これらに被せ付けられるカバー８４とで第２伝動室２８を区画している。カバー８４は側壁８３に着脱可能に係合固定してある。
【００２５】
内刃支持台２４は、上向きに開口する区画を備えた台基部８５と、その左右両端から立設した左右一対の腕８６と、台基部８５の上面開口を塞ぐ蓋体８７とからなる。左右の腕８６の上部に設けた軸をヘッドフレーム２３の側壁８３の上部の軸受８１で軸支することにより、内刃支持台２４は前後揺動自在に、つまりひげそりブロック９１の全体が、ヘッドフレーム２３に対して首振り可能に軸支される。一対の腕８６の間に、後述する内刃フレーム２５が着脱自在に圧嵌係合される。台基部８５の内部には、内刃支持台２４に外嵌装着した外刃ホルダー２６を、抜け外れ不能にロック保持するためのロック機構と、センター刃３８用の振動子３９とが設けられる。
【００２６】
内刃フレーム２５は、基壁８８と、基壁８８の左右両端に立設した一対の側壁８９とを有し、両側壁８９の上端間に前後一対の内刃２０をそれぞれ回転自在に軸支している。図４に向かって左方の内刃軸には小直径の内刃ギヤ３０が固定してあり、このギヤ３０が内刃フレーム２５に設けた終段ギヤ２９と噛み合うことにより、モーター動力を前後の内刃２０へ同時に伝えるようになっている。内刃清掃のために、各内刃２０の下方に回転ブラシ９０を配置し、その左右端を側壁８９に組み付けたスライドピースで回転自在に軸支している。内刃フレーム２５は、内刃支持台２４に対してその上方から係合装着されて、ひげそりブロック９１を構成する。なお、ひげそりブロック９１の前後傾動角度θ１（図７参照）は、かみそりヘッド２Ｂの本体ケース１に対する前後傾動角度θ２（図１６参照）より大きく設定されており、さらに、ひげそりブロック９１の前後方向の合計傾動角度は、かみそりヘッド２Ｂの本体ケース１に対する前方向の傾動角度θ２と、後方向の傾動角度θ２′との合計傾動角度より大きく設定してある。整理すると、（θ１＞θ２、θ１＞θ２′）であり、（θ１＋θ１＞θ２＋θ２′）の関係を満足している。ひげそりブロック９１を復帰付勢するばね９２（図３参照）の張力は、かみそりヘッド２Ｂを復帰付勢するばね８０の張力より小さく設定してある。因みに、ひげそりブロック９１をかみそりヘッド２Ｂより小さな力で傾動できれば必ずしもばねで復帰付勢する必要はなく、ばねは省くことができる。この場合、ヘッドフレーム２３の軸受８１と、この軸受８１で支持される内刃支持台２４の軸部との間の摩擦によって、位置保持する構造となる。
【００２７】
電気かみそりの使用時には、肌やひげの状態に応じてスライドノブ１１をソフト位置とハード位置のいずれかに切り換えて、かみそりヘッド２Ｂの押し下げ反力を硬軟いずれかに設定する。例えば、普通にひげそりを行う場合には、スライドノブ１１をソフト位置に位置させて、かみそりヘッド２Ｂを全浮動できるようにし、かみそりヘッド２Ｂの沈み込みを容易化して肌に密着しやすくする。また、深ぞりを行う場合には、スライドノブ１１をハード位置へスライド操作してかみそりヘッド２Ｂの押し下げ反力を大きくすることによって、深ぞりできるようにする。規制位置においては、ばね８０が半ば圧縮された状態でかみそりヘッド２Ｂを位置保持するので、より小さな押し付け力でかみそりヘッド２Ｂを肌に強く押し付けることができ、その結果、深ぞりできるのである。このとき、腕部６３の下端は本体ケースで下降不能に受け止められている。
【００２８】
かみそりヘッド２Ｂは、浮動位置と規制位置のいずれにおいても、ばね８０と防水シール１５の押し上げ力に抗して上下に浮動でき、しかも前後および左右に傾動できる。かみそりヘッド２Ｂは、主として２個のばね８０で押し上げ付勢されていて、ヘッド側係合体（突起）５６と、ケース側係合体６６（溝）との連結部、即ち、枠体６２の腕部６３（連結部）で抜け止めされている。そのため、かみそりヘッド２Ｂを押し込み操作して、突起５６と溝６６の上端とが離れた状態では、かみそりヘッド２Ｂは２個のばね８０のみで支えられた状態、つまり、極めて不安定な状態で支えられていることになる。従って、かみそりヘッド２Ｂは外力に従って傾動するしかなく、その結果、ひげ切断面を肌に対して滑らかに追随させることができる。
【００２９】
上記の実施例では、かみそりヘッド２Ｂの浮動動作を規制する枠体６２を利用して突起５６を接当係合したが、その必要はなく、枠体６２の腕部（連結部）６３に相当する部材を本体ケース１に装着して、脚片５５を係合保持することができる。本体ケース１の内面に溝６６を一体に形成することができる。もちろんケース側係合体を突起５６で形成し、ヘッド側係合体を溝で形成することができる。つまり、ヘッド側係合体とケース側係合体のいずれか一方が突起５６で、他方が上下に長い溝６６で形成することができる。溝は切欠や凹部、あるいは長穴状のボスや、枠体で形成することができ、要はかみそりヘッド２Ｂの下降移動を許す状態で、脚片５５と枠体６２とが連結してあればよい。上記の実施例では、かみそりヘッド２Ｂを電装品ユニット２Ａに組み付けた状態において、両者を分離不能に一体化するために、保持脚片５７を受爪５９に係合したが、その必要はなく、モーター台２２と本体ケース１の形状によっては、保持脚片５７と受爪５９は省略することができる。その場合には、モーター台２２の側面に突起５６を直接突設することができる。
【００３０】
上記の実施例では、スライドノブ１１を前カバー４で左右スライド自在に支持したので、その左右動作を上下動作に変換する必要上、スライドノブ１１と枠体６２との間に動作変換用のカム構造を設けたが、スライドノブ１１を上下方向へ切り換え操作する場合にはカム構造を省略することができる。ただし、この場合には、スライドノブ１１を規制位置に位置保持するために、節動機構や位置ロック機構などの位置保持構造を付加する。スライドノブ１１は左右または上下スライドする以外に、押しボタン状にあるいは回転ダイヤル状等に構成することができる。
【００３１】
枠体６２に設けるカム部６７は、２段以上、３段でも４段でも必要な段数に形成することができる。枠体６２はカム構造６３以外に、揺動レバーで下降操作できる。この発明は内刃９が一個のみ設けてある電気かみそりや、レシプロ式の内刃を備えた電気かみそり、あるいは内刃が縦軸まわりに回転する電気かみそりにも適用できる。かみそりヘッド２Ｂの内刃支持台２４および内刃フレーム２５は、ヘッドフレーム２３で首振り不能に支持してあってもよい。
【図面の簡単な説明】
【００３２】
【図１】かみそりヘッドの浮動構造を示す一部破断正面図である。
【図２】電気かみそりの正面側の斜視図である。
【図３】本体ケースのみを断面した分解側面図である。
【図４】かみそりヘッドの分解正面図である。
【図５】かみそりヘッドの縦断正面図である。
【図６】ギヤ伝動機構を示す横断平面図である。
【図７】巻掛伝動機構の側面図である。
【図８】かみそりヘッドと電装品ユニットの接続構造を示す分解断面図である。
【図９】モーター周辺部の分解断面図である。
【図１０】モーター台と内フレームの分解斜視図である。
【図１１】かみそりヘッドの縦断側面図である。
【図１２】かみそりヘッドを浮動位置に切り換えた状態の概略正面図である。
【図１３】切換機構の分解斜視図である。
【図１４】切換機構の横断平面図である。
【図１５】かみそりヘッドを規制位置に切り換えた状態の概略正面図である。
【図１６】かみそりヘッドの前後傾動動作を示す一部破断側面図である。
【符号の説明】
【００３３】
１  本体ケース
２  作動ユニット
２Ａ  電装品ユニット
２Ｂ  かみそりヘッド
１５  防水シール
１６  内フレーム
１９  モーター
２２  モーター台
５１  モーターホルダー
５５  脚片
５６  突起
６２  枠体
６６  溝（ケース側係合体）
８０  ばね
【図１】
2006051389.tif 000003
【図２】
2006051389.tif 000004
【図３】
2006051389.tif 000005
【図４】
2006051389.tif 000006
【図５】
2006051389.tif 000007
【図６】
2006051389.tif 000008
【図７】
2006051389.tif 000009
【図８】
2006051389.tif 000010
【図９】
2006051389.tif 000011
【図１０】
2006051389.tif 000012
【図１１】
2006051389.tif 000013
【図１２】
2006051389.tif 000014
【図１３】
2006051389.tif 000015
【図１４】
2006051389.tif 000016
【図１５】
2006051389.tif 000017
【図１６】
2006051389.tif 000018